(57)【要約】【課題】着座者を受け入れる保持形状を、着座者一人ひとりの身体形状に合った状態に形成しながらも、比較的低コスト且つ短期間で製造できるようにした新規なクッション体並びにその製造手法を提供する。【解決手段】本発明のクッション体１は、例えば座面部材２と背もたれ部材３とを具えて成り、その各々に着座者Ｍの身体形状に応じた保持形状２０、３０が形成される。そしてこの保持形状２０、３０は、予め作成されている寸法違いの複数のＣＡＤデータの中から着座者に最も合うものが選択され、ポリウレタン等の発泡樹脂充実体から切削加工によって削り出されるものであり、加工にあたっては、初期切削において主に着座者の身体各部の採寸によって決定される寸法データ情報を実現するようにし、仕上切削において着座者独自の個別身体情報を実現するようにしたことを特徴とする。【選択図】      図１
2004242839.tif 000002
【特許請求の範囲】
【請求項１】
適宜のフレーム部材に支持されて用いられ、利用者が安定状態で着座できるようにしたクッション体であって、
前記クッション体は、発泡樹脂充実体によって形成される座面部材を具えて成り、
この座面部材には、着座者の身体形状に応じた保持形状が切削加工により形成されていることを特徴とする座位保持機能を高めたクッション体。
【請求項２】
前記座面部材は、発泡樹脂充実体によって形成された背もたれ部材と組み合わせて用いられるものであり、
この背もたれ部材にも、着座者の身体形状に応じた保持形状が切削加工により形成されていることを特徴とする請求項１記載の座位保持機能を高めたクッション体。
【請求項３】
前記座面部材における保持形状は、臀部保持凹部と、脚部保持凹部と、これらの凹部が形成されることにより相対的に凸状となる臀部周囲保持凸部と、脚部外側保持凸部と、脚部内側保持凸部とを具えて成り、
一方、前記背もたれ部材における保持形状は、腰背部保持凹部と、この凹部が形成されることにより相対的に凸状となる左右の側脇部保持凸部と、この側脇部保持凸部上方の上腕開放部とを具えて成り、
これら保持形状は、予め種々の大きさに設定された複数の寸法の中から、主に着座者の身体各部の採寸によって決定される寸法データ情報に加え、着座者独自の個別身体情報を加味して、着座者の体型に応じた最適化形状に形成されることを特徴とする請求項２記載の座位保持機能を高めたクッション体。
【請求項４】
適宜のフレーム部材に設けられ、利用者に安定した座位姿勢を提供できるようにしたクッション体を製造するにあたり、
前記クッション体は、発泡樹脂充実体によって形成される座面部材を具えて成り、
この座面部材は、着座者の身体形状に応じた保持形状を有するものであり、
保持形状を形成するにあたっては、予め多くのＣＡＤデータを作成しておき、その中から着座者の身体形状に合ったものを選択し、発泡樹脂充実体に切削加工を施して所望の形状に加工するようにしたことを特徴とする座位保持機能を高めたクッション体の製造方法。
【請求項５】
前記クッション体は、前記座面部材の他、発泡樹脂充実体によって形成された背もたれ部材を具えて成り、
この背もたれ部材も、着座者の身体形状に応じた保持形状を有するものであり、
クッション体を製作するにあたっては、座面部材及び背もたれ部材の保持形状に関して予め多くのＣＡＤデータを作成しておき、その中から着座者の身体形状に合ったものを選択し、発泡樹脂充実体に切削加工を施して所望の形状に加工するようにしたことを特徴とする請求項４記載の座位保持機能を高めたクッション体の製造方法。
【請求項６】
前記座面部材における保持形状は、臀部保持凹部と、脚部保持凹部と、これらの凹部が形成されることにより相対的に凸状となる臀部周囲保持凸部と、脚部外側保持凸部と、脚部内側保持凸部とを具えて成り、
一方、前記背もたれ部材における保持形状は、腰背部保持凹部と、この凹部が形成されることにより相対的に凸状となる左右の側脇部保持凸部と、この側脇部保持凸部上方の上腕開放部とを具えて成り、
これら保持形状を発泡樹脂充実体から削り出すにあたっては、仕上用の削り代分を残した初期切削と、その後の仕上切削とによって加工を行うものであり、
初期切削段階においては、予め種々の大きさに設定された複数の寸法の中から、主に着座者の身体各部の採寸によって決定される寸法データ情報を実現するとともに、その後の仕上切削段階において着座者独自の個別身体情報を実現し、  保持形状を着座者の体型に応じた最適化形状に形成するようにしたことを特徴とする請求項５記載の座位保持機能を高めたクッション体の製造方法。
【請求項７】
適宜のフレーム部材に設けられ、利用者に安定した座位姿勢を提供できるようにしたクッション体を製造するシステムであって、
前記クッション体は、発泡樹脂充実体によって形成される座面部材と背もたれ部材とを具えるとともに、これらの部材には着座者の身体形状に応じた保持形状が形成されるものであり、
保持形状の形成にあたっては、予め多くのＣＡＤデータを作成しておき、その中から着座者の身体形状に合ったものを選択し、発泡樹脂充実体に切削加工を施して所望の形状に形成するようにしたことを特徴とする座位保持機能を高めたクッション体の供給システム。
【請求項８】
前記保持形状は、予め種々の大きさに設定された複数の寸法の中から、主に着座者の身体各部の採寸によって決定される寸法データ情報に加え、着座者独自の個別身体情報を加味して、着座者の体型に応じた最適化形状に形成されることを特徴とする請求項７記載の座位保持機能を高めたクッション体の供給システム。
【発明の詳細な説明】
【０００１】
【発明の属する技術分野】
本発明は、例えば車椅子の座面や背もたれに取り付けられ、利用者が着座した際、安定した座位姿勢を確保できるようにしたクッション体に関するものであり、特に着座者を受け入れる保持形状を、比較的低コスト且つ短期間で、利用者の身体形状にフィットするように形成した新規なクッション体並びにその製造方法並びにその供給システムに係るものである。
【０００２】
【発明の背景】
一般に人間は、体型が一人ひとり異なるため、例えば一人の利用者が独占的に使用するパーソナルチェア等にあっては、座面や背もたれ等を、利用者の体型に合わせた形状に形成し、安定した座位姿勢を確保することが人間工学上、望ましいとされている。そして利用者（着座者）は、この座位姿勢をとることで、着座時の体圧が分散され、腰等に掛かる負担をできる限り解消できるものである。
このようなことから、利用者の体型をコンピュータ等を利用して三次元的に計測（採寸）し、そのデータ通りに椅子の座面や背もたれを形成することが提案されている。しかしながら、実際には一人ひとり個別に体型を測定し、その身体形状通りに椅子等を製作することは、著しいコスト高を招き、また相応の製作期間も要するため、誰にでも適用できる手法ではなかった。
【０００３】
このため例えば椅子そのものは既存のものを流用し、利用者と椅子との間に介在させるクッション、または座面等に入れ込む詰め物などを、人の体型に合わせて形成することが考えられるが、このような手法でも、利用者の体型を一人ひとり計測する必要があり、大幅なコスト低減や製作期間の短縮化は望めなかった。特に、このようなクッション等は、素材としてポリウレタン等の発泡体が適用されることが多いため、利用者の体型に合わせて形成しようとした場合、成形型などを用いれば、製作そのものは可能であっても、型代によるコスト上昇を免れ得ないものであった。
このため人間工学上は、体型に合った椅子やクッション等を使用する方が、身体に負担が掛からない点で好ましいことは理解できても、利用者の多くは、このような方法を採用することができず、実際には既製品の椅子に種々のクッションをあてがって、その大きさや位置を色々変えながら、身体の納まりが良い座位姿勢を探り出す（見つけ出す）ことも少なくなかった。
【０００４】
もちろん、本来道具である椅子に身体を合わせる、このような方法は、一般に健常者が多く採り得る手法であって、ハンディを持った障害者（児）や、介護を要する高齢者等の場合には、椅子に身体を合わせたくても身体の自由が利かないことがあった。また着座当初は、身体に掛かる負担が少ない、いわゆる正しい座位姿勢で座ることができても、障害者や高齢者等の場合には、自らの腹筋と背筋をバランスさせることが難しい場合もあり、正しい座位姿勢を長時間にわたって維持するのは難しかった。このようなことから、特に障害者等にあっては、正しくない、言わば無理な座位姿勢を強いられることがあった。
【０００５】
【開発を試みた技術的課題】
本発明は、このような背景を認識してなされたものであって、着座者を受け入れる保持形状を着座者の体型に合った形状に形成するようにしながらも、比較的低コスト且つ短期間で製造できるようにした新規なクッション体並びにその製造手法の開発を試みたものである。
【０００６】
【課題を解決するための手段】
すなわち請求項１記載の座位保持機能を高めたクッション体は、適宜のフレーム部材に支持されて用いられ、利用者が安定状態で着座できるようにしたクッション体であって、前記クッション体は、発泡樹脂充実体によって形成される座面部材を具えて成り、この座面部材には、着座者の身体形状に応じた保持形状が切削加工により形成されていることを特徴として成るものである。
【０００７】
また請求項２記載の座位保持機能を高めたクッション体は、前記請求項１記載の要件に加え、前記座面部材は、発泡樹脂充実体によって形成された背もたれ部材と組み合わせて用いられるものであり、この背もたれ部材にも、着座者の身体形状に応じた保持形状が切削加工により形成されていることを特徴として成るものである。
【０００８】
更にまた請求項３記載の座位保持機能を高めたクッション体は、前記請求項２記載の要件に加え、前記座面部材における保持形状は、臀部保持凹部と、脚部保持凹部と、これらの凹部が形成されることにより相対的に凸状となる臀部周囲保持凸部と、脚部外側保持凸部と、脚部内側保持凸部とを具えて成り、一方、前記背もたれ部材における保持形状は、腰背部保持凹部と、この凹部が形成されることにより相対的に凸状となる左右の側脇部保持凸部と、この側脇部保持凸部上方の上腕開放部とを具えて成り、これら保持形状は、予め種々の大きさに設定された複数の寸法の中から、主に着座者の身体各部の採寸によって決定される寸法データ情報に加え、着座者独自の個別身体情報を加味して、着座者の体型に応じた最適化形状に形成されることを特徴として成るものである。
【０００９】
また請求項４記載の座位保持機能を高めたクッション体の製造方法は、適宜のフレーム部材に設けられ、利用者に安定した座位姿勢を提供できるようにしたクッション体を製造するにあたり、前記クッション体は、発泡樹脂充実体によって形成される座面部材を具えて成り、この座面部材は、着座者の身体形状に応じた保持形状を有するものであり、保持形状を形成するにあたっては、予め多くのＣＡＤデータを作成しておき、その中から着座者の身体形状に合ったものを選択し、発泡樹脂充実体に切削加工を施して所望の形状に加工するようにしたことを特徴として成るものである。
【００１０】
また請求項５記載の座位保持機能を高めたクッション体の製造方法は、前記請求項４記載の要件に加え、前記クッション体は、前記座面部材の他、発泡樹脂充実体によって形成された背もたれ部材を具えて成り、この背もたれ部材も、着座者の身体形状に応じた保持形状を有するものであり、クッション体を製作するにあたっては、座面部材及び背もたれ部材の保持形状に関して予め多くのＣＡＤデータを作成しておき、その中から着座者の身体形状に合ったものを選択し、発泡樹脂充実体に切削加工を施して所望の形状に加工するようにしたことを特徴として成るものである。
【００１１】
また請求項６記載の座位保持機能を高めたクッション体の製造方法は、前記座面部材における保持形状は、臀部保持凹部と、脚部保持凹部と、これらの凹部が形成されることにより相対的に凸状となる臀部周囲保持凸部と、脚部外側保持凸部と、脚部内側保持凸部とを具えて成り、一方、前記背もたれ部材における保持形状は、腰背部保持凹部と、この凹部が形成されることにより相対的に凸状となる左右の側脇部保持凸部と、この側脇部保持凸部上方の上腕開放部とを具えて成り、これら保持形状を発泡樹脂充実体から削り出すにあたっては、仕上用の削り代分を残した初期切削と、その後の仕上切削とによって加工を行うものであり、初期切削段階においては、予め種々の大きさに設定された複数の寸法の中から、主に着座者の身体各部の採寸によって決定される寸法データ情報を実現するとともに、その後の仕上切削段階において着座者独自の個別身体情報を実現し、保持形状を着座者の体型に応じた最適化形状に形成するようにしたことを特徴として成るものである。
【００１２】
また請求項７記載の座位保持機能を高めたクッション体の供給システムは、適宜のフレーム部材に設けられ、利用者に安定した座位姿勢を提供できるようにしたクッション体を製造するシステムであって、前記クッション体は、発泡樹脂充実体によって形成される座面部材と背もたれ部材とを具えるとともに、これらの部材には着座者の身体形状に応じた保持形状が形成されるものであり、保持形状の形成にあたっては、予め多くのＣＡＤデータを作成しておき、その中から着座者の身体形状に合ったものを選択し、発泡樹脂充実体に切削加工を施して所望の形状に形成するようにしたことを特徴として成るものである。
【００１３】
また請求項８記載の座位保持機能を高めたクッション体の供給システムは、前記請求項７記載の要件に加え、前記保持形状は、予め種々の大きさに設定された複数の寸法の中から、主に着座者の身体各部の採寸によって決定される寸法データ情報に加え、着座者独自の個別身体情報を加味して、着座者の体型に応じた最適化形状に形成されることを特徴として成るものである。
【００１４】
まず前記請求項１または４記載の発明によれば、クッション体の保持形状を、着座者の身体形状に応じて形成するため、着座者は腰などに負担の掛からない安定した座位姿勢が得られるとともに、比較的長時間の着座であっても、この座位姿勢が維持できる。またこのため例えば腹筋と背筋のバランスが自分で思うようにとれない高齢者や障害者等がクッション体を使用しても、腰が前にずれ、身体が前屈みになるようなことを効果的に防止できる。更にクッション体の保持形状は専ら切削加工によって形成するため、高価な成形型が不要であり、低コスト且つ短期間での製作が可能となる。
【００１５】
また前記請求項２、５または７記載の発明によれば、座面部材を、背もたれ部材と組み合わせて用いるため、着座者は腰背部、臀部、脚部等のほぼ身体全体をクッション体に預けることができ、より安定した座位姿勢を得ることができる。
【００１６】
更に前記請求項３、６または８記載の発明によれば、単に着座者の身体的な表面凹凸（寸法データ情報）のみならず、脊椎や脚の曲がり等の着座者独自の個別身体情報等を考慮した保持形状を得ることができ、より一層、着座者の体型にフィットさせることができる。
【００１７】
【発明の実施の形態】
以下本発明を図示の実施の形態に基づいて説明する。説明にあたっては、まず本発明の対象物である、座位保持機能を高めたクッション体１について説明し、その後、このクッション体の製造方法について説明しながら、併せてクッション体の供給システムについて説明する。
本発明のクッション体１は、一例として図１に示すように、座面部材２と背もたれ部材３とを具えて成り、例えば車椅子等の椅子本体Ｓに取り付けて用いられる。そして座面部材２と背もたれ部材３とには、利用者（着座者）Ｍ独自の身体形状に応じた保持形状（座面部材２に形成されたものを２０、背もたれ部材３に形成されたものを３０とする）が形成され、これによって着座者Ｍは着座時、身体がクッション体１の保持形状２０、３０にフィットし、安定した座位姿勢が得られるとともに、比較的、長時間の着座であっても、この着座姿勢を継続することができるものである。言い換えれば、本発明のクッション体１は、着座時、腰などに掛かる負担を極力抑制する、正しい座位姿勢を着座者Ｍに提供するとともに、着座の間、この正しい座位姿勢を保持し続けることができるようにしたものである。
【００１８】
なおクッション体１が取り付けられる椅子本体Ｓとしては、図１に示した車椅子の他、電動車椅子、四輪車等の座席（いわゆるカーシート）、事務用椅子、家の中で使用する食堂椅子、乗用玩具の座席等の適用も可能である。また例えば座面部材２と背もたれ部材３とを適宜のフレーム部材で固定し、座椅子としての強度メンバを充分に確保すれば、本クッション体１を座椅子として使用することも可能である。なお請求項１、４、７に記載した「フレーム部材」とは、車椅子等の椅子本体Ｓの他、このような固定部材をも包含するものである。以下、クッション体１の主な構成部材である座面部材２と背もたれ部材３とについて更に説明する。
【００１９】
まず座面部材２について説明する。このものは、例えば椅子本体Ｓの座面Ｓ１に取り付けられ、着座者Ｍが安定状態で着座できるように、保持形状２０が着座者Ｍの臀部や脚部にフィットするように形成されている。この座面部材２は、一例として図１、２に示すように形成され、臀部を受け入れる凹陥部を臀部保持凹部２１とし、脚部を受け入れる凹陥部を脚部保持凹部２２とする。またこれらの凹陥部が形成されることにより相対的に凸状となる部分を、臀部周囲保持凸部２３と、脚部外側保持凸部２４と、脚部内側保持凸部２５とする。
このうち特に臀部保持凹部２１や脚部保持凹部２２などは、着座者Ｍの体重が直に掛かったり、あるいは着座者Ｍの身体が直に接触する部位であるため、着座者Ｍの体圧を分散させ得るような形状、すなわち着座者Ｍの身体形状に応じて滑らかな曲面状等に形成される。
【００２０】
また臀部保持凹部２１は、一例としてクッション体１の側面から視て奥部が先端部（膝部側）よりも低く形成され、着座時、着座者Ｍの臀部が膝部よりも沈み込んだ座位姿勢となるように形成されている。これは、着座者Ｍが長時間座っていても、腰が前にずれてこず、頭部が前方に傾倒してこないこと（いわゆる前屈みにならないこと）、つまり正しい座位姿勢を保持できるように考慮したものである。なお本発明の名称中の「座位保持機能」とは、このようなことを示している。
【００２１】
ここで上記「正しい座位姿勢」について概略的に説明する。人は全ての内蔵が脊椎の前側に位置し、このため上半身には常にモーメントが作用する。従って、比較的、長時間座っていると、着座者Ｍの腰は徐々に前方にずれて行く傾向にあり、またこれに伴い頭部が前方に傾き、上半身が前屈みになる傾向にある。この際、着座者Ｍが健常者であれば、腹筋と背筋のバランスで、このモーメントを無意識的に制御し、正しい座位姿勢を保つことができるが、例えば障害者や高齢者等にあっては、腹筋と背筋のバランスが思うようにとれないことがあり、自分で座位姿勢を保持することが難しいことがある。
【００２２】
このため本発明では、着座者一人ひとりの身体形状に合った保持形状２０（クッション体１）を形成し、障害者や高齢者等でも、正しい座位姿勢を容易に保持し続けることができるようにしたものである。なお着座者Ｍが、このような正しい座位姿勢をとることで、上述したように、身体に掛かる負担を極力解消できるものであり、また心地よい着座姿勢が得られるものである。もちろんこのような正しい座位姿勢は、特に着座者Ｍが障害者（児）等の場合には、食事が上手くとれる姿勢、あるいは長時間倒れずに座れる姿勢等ともなる。
また脚部保持凹部２２も、着座者Ｍの身体形状（脚部）に合った形状に形成されるものであるが、脚部の表面的な凹凸はもとより、着座者Ｍの脚の曲がり方や開き方（例えば一般にＯ脚と呼ばれる外転状態や、Ｘ脚と呼ばれる内転状態など）に応じて形成されるものである。
【００２３】
ここで図２に記載した寸法について説明する。まず図中符号Ｚ１は、臀部保持凹部２１の幅寸法を示す臀幅であり、これは着座者Ｍの臀部幅にほぼ相当する。また図中符号Ｚ２は、座面部材２の全横幅寸法を示すクッション全幅であり、図中符号Ｚ３は、脚部内側保持凸部２５の横幅寸法を示すポメル幅である。更に図中符号Ｚ４は、脚部保持凹部２２の横幅寸法を示す脚幅であり、これは、着座者Ｍの脚部径にほぼ相当する。また図中符号Ｚ５は、臀部保持凹部２１の最も低い（沈み込んだ）部分の厚さ寸法を示す後部厚であり、図中符号Ｚ６は、着座者Ｍの膝部を保持する部分の厚さ寸法を示す膝部厚であり、これは脚部保持凹部２２の厚さ寸法にほぼ該当する。また図中符号Ｚ７は、座面部材２の全体の厚さを示すクッション全厚であり、これは脚部内側保持凸部２５または脚部外側保持凸部２４の厚さにほぼ該当する。また図中符号Ｚ８は、脚部内側保持凸部２５の長さ寸法を示すポメル長であり、図中符号Ｚ９は、座面部材２の全長を示すクッション全長である。また図中符号Ｚ１０は、着座者Ｍが座面部材２上で保持される全長寸法を示す座長であり、これは特に背もたれ部材３と組み合わせて使用した場合に必要な寸法である。
【００２４】
次に背もたれ部材３について説明する。このものは、例えば椅子本体Ｓの背もたれＳ２に取り付けられ、着座者Ｍが腰背部を安定状態でもたせかけられるように、保持形状３０が着座者Ｍの身体形状（後背部）にフィットするように形成されている。この背もたれ部材３は、一例として図１、３に示すように形成され、着座者Ｍの後背部を受け入れる凹陥部を腰背部保持凹部３１とし、この凹部が形成されることによって相対的に凸状となる左右部分を側脇部保持凸部３２とする。また、この側脇部保持凸部３２の上方を上腕開放部３３とする。
【００２５】
腰背部保持凹部３１は、着座者Ｍの身体形状（腰背部）に合った状態に形成されるものであるが、腰背部の表面的な凹凸はもとより、着座者Ｍの脊柱の曲がり等に応じて形成されるものである。ここで脊柱の曲がりとしては、例えば高齢者の場合に多く見られる、後方に凸状に湾曲した円背（猫背）や、左右方向に曲がる側弯症等が挙げられる。また脊柱は、このような曲がりだけでなく、ねじれを伴うこともあり、ここでは、このような状態も含めて身体形状と称している。
【００２６】
また側脇部保持凸部３２は、着座者Ｍが椅子本体Ｓ（クッション体１）から立ち上がるときの把持部の作用も担うものである。具体的には、高齢者などが椅子から立ち上がる際には、肘掛け（アームレスト）等に自分の体重を掛け、はね除けるようにして立つことが多いため、この側脇部保持凸部３２に、その作用を担わせることが可能である。このような場合には、側脇部保持凸部３２または背もたれ部材３そのものの強度をアップすることが好ましい。
もちろん着座者Ｍは、座りながら適宜、側脇部保持凸部３２に寄りかかることによって、より体圧を分散させ、腰等に掛かる負担を、より一層解消することが可能である。
【００２７】
ここで図３に記載した寸法について説明する。まず図中符号Ｂ１は、左右の側脇部保持凸部３２間の離反寸法を示す胸幅であり、これは着座者Ｍの胸部幅にほぼ相当する。また図中符号Ｂ２は、背もたれ部材３の全横幅寸法を示すクッション全幅であり、図中符号Ｂ３は、主に着座者Ｍの肩部を保持する部分の厚さ寸法を示す肩部クッション厚である。更にまた図中符号Ｂ４は、主に着座者Ｍの腰部を保持する部分の厚さ寸法を示す腰部クッション厚であり、図中符号Ｂ５は、背もたれ部材３の全体の厚さ寸法を示すクッション全厚であり、これは側脇部保持凸部３２の突出寸法にほぼ該当する。また図中符号Ｂ６は、背もたれ部材３の全体の高さ寸法を示すクッション全高であり、図中符号Ｂ７は、主に着座者Ｍの肩部や上腕部分を保持する部分の高さ寸法を示す肩部高さであり、これは上腕開放部３３の高さ寸法にほぼ該当する。また図中符号Ｂ８は、側脇部保持凸部３２の高さ寸法を示すラテラル高さである。
【００２８】
なおこのようなクッション体１は、ポリウレタン等の発泡樹脂充実体によって形成されるものであり、その硬さは、着座者Ｍの好みによって適宜選択できるようにしておくことが好ましい。因みにここでは、ソフト、ミディアム、ハード、スーパーハードの４種類を設定している。
また座面部材２と背もたれ部材３とは、一例として図１に示すように、各々別々のカバーＣ１、Ｃ２に入れられた後、椅子本体Ｓの座面Ｓ１や背もたれＳ２に固定されるが、例えばその取り付けにあたっては、カバーＣ１、Ｃ２裏面に面状ファスナーを設け、これによって椅子本体Ｓとの着脱を行うことが可能である。もちろんこのようなカバーＣ１、Ｃ２は、本発明において必ずしも必須の構成部材ではない。
更にまた座面部材２と背もたれ部材３との取付角度、すなわち臀部保持凹部２１と腰背部保持凹部３１との取付角度は、適宜設定変更可能である。
【００２９】
また本実施の形態では、座面部材２と背もたれ部材３とによってクッション体１を構成したが、座面部材２のみによって構成することも可能である。すなわち、車椅子等の椅子本体Ｓに座面部材２のみを取り付けて使用することが可能である。また特に背もたれＳ２のない椅子などにも座面部材２（クッション体１）を取り付けることができるものである。更にクッション体１は、座面部材２と背もたれ部材３とに加え、ヘッドレスト（頭支え）等を組み合わせることも可能である。
またここでは、座面部材２と、背もたれ部材３を別々に分離形成したが、一体で形成することも可能である。
【００３０】
次に上述したクッション体１の製造方法について説明しながら、併せてその供給システムについて説明する。なお本発明では、保持形状２０、３０に関し予め多くのＣＡＤデータを制作しておき、その中からユーザに最も適したデータを選び、着座者Ｍの身体形状（表面的な身体凹凸や脊柱や脚の曲がり方などを含めた形状）に適合するように切削加工して行くものである。従って、実質的な製造手法は、発泡樹脂充実体に施される切削加工となるが、ここではＣＡＤデータの作成段階から説明する（図６参照）。
【００３１】
（１）保持形状に関するＣＡＤデータの作成
本実施の形態では、一つの形状を基に様々なサイズ違いの保持形状２０、３０を予めデータ化しておくものである。ここで「一つの形状」とは、着座者Ｍがクッション体１を使用した際、正しい座位姿勢がとれる形状である。より具体的には、例えば人が椅子に座った場合、尾てい骨部分が背もたれ下端部（座面最奥部）から幾分離れ、腰部が背もたれに接触した座位姿勢である。
そして保持形状２０、３０のＣＡＤデータとしては、一例として図４、５に示すように、上記正しい座位姿勢を基準として、あらゆる寸法違いのものを設定しておくものである。ここで上記図４、５の表中に記載した年齢は、着座者Ｍの大まかな対象年齢を示すものであり、各種の寸法（Ｚ１〜Ｚ１０、Ｂ１〜Ｂ８）は、着座者Ｍの身体のサイズに応じて適宜変更することが可能である。また表では３〜１０才までの年齢が記載されているが、これはあくまでも参考例であり、もちろん大人のサイズのＣＡＤデータも作成しておくものである。
また表中のｐはピッチを示し、例えば図４における３才（臀幅１９０ｍｍ）の「クッション全長２４５〜４４５（約１０ｐ）」とは、クッション全長が２４５ｍｍ、２５５ｍｍ、２６５ｍｍ・・・と約１０ｍｍピッチでＣＡＤデータが作成されていることを示す。
【００３２】
（２）採寸と保持形状に関する各種寸法の決定
複数のＣＡＤデータの中から着座者Ｍの身体形状に最も適合したデータを選ぶため、着座者Ｍの身体各部のサイズを計測する。具体的には着座者Ｍの臀部幅、胸幅、脚幅（大腿部の径）、脚長（大腿部の長さ）、座高等を採寸し、座面部材２と背もたれ部材３の各種の寸法（Ｚ１〜Ｚ１０、Ｂ１〜Ｂ８）を決定して行く。
なお着座者Ｍの身体各部の採寸にあたっては、例えば各部位の計測位置を適宜変えて複数カ所、測定することが可能である。もちろん、本実施の形態（図４、５）では、大まかに対象年齢が示されているため、これも参考に各部の寸法を決定して行くことが可能である。
【００３３】
また身体形状に最も適合したＣＡＤデータを選択するにあたり、着座者Ｍの身体サイズからは直接判断し難いもの（例えばＺ５後部厚、Ｚ６膝部厚、Ｚ７クッション全厚、Ｂ３肩部クッション厚、Ｂ４腰部クッション厚、Ｂ５クッション全厚等）もあるため、予めクッション体１のサンプルを幾つか製作しておき、実際に着座者Ｍに使用してもらいながら、これらの寸法や素材の硬さ等を決定して行くことが好ましい。
またこの際、「正しい座位姿勢」に熟知したアドバイザー等が着座者Ｍとのディスカッションを重ねながら、着座者Ｍがよりリラックスできる座位姿勢をアドバイスして、各部の寸法を決定して行くことがより好ましい。
【００３４】
このように保持形状２０、３０に関する各種の寸法（Ｚ１〜Ｚ１０、Ｂ１〜Ｂ８）は、ＣＡＤデータとして予め各サイズ別に作成されているものであり、主に採寸によって一義的に決定される。なおこのような情報を寸法情報データとする。これに対し、着座者Ｍによって一人ひとり異なることが多い、脊柱や脚部等の曲がり等のデータを個別身体情報とするものである。これは採寸によって一義的に決定するのが難しく、このためここでは寸法情報データと区別している。しかしながら、今後このような着座者Ｍ独自のデータも蓄積、分類、解析等をして行くことで、採寸時に決定することも考えられる。
【００３５】
（３）初期切削
座面部材２と背もたれ部材３とに関する各種の寸法（Ｚ１〜Ｚ１０、Ｂ１〜Ｂ８）が決定した後、一例としてポリウレタン素材から成るブロック状等の発泡樹脂充実体に切削加工が施され、保持形状２０、３０が形成される。なおこの段階での切削加工は、寸法情報データのみを実現するものであり、着座者Ｍの個別身体情報は、上述したように、その後の仕上段階で実現する。このため、ここでの切削加工は、言わば初期加工であり、その後の仕上げが行い得る削り代分を見込んだ加工となる。なお切削加工そのものは、ＣＡＤ／ＣＡＭの利用によりスムーズ且つ確実に行えるものである。
【００３６】
（４）仕上切削
寸法情報データのみが実現されたクッション体１は、その後、仕上切削によって、着座者Ｍの個別身体情報が追加され、最適化形状に形成される。この際、着座者Ｍが実際に使用するフレーム部材（椅子本体Ｓ）に、クッション体１を取り付けるとともに、実際に着座してもらいながら着座者Ｍの個別身体情報に合わせて保持形状２０、３０を仕上げることが好ましい。なおここでも「正しい座位姿勢」に熟知したアドバイザー等が着座者Ｍとディスカッションを重ねながら、着座者Ｍの個別身体情報をより的確に判断し、保持形状２０、３０を仕上げて行くことが好ましい。因みに図６の流れ図では、初期加工を行った後にアドバイザー等が着座者Ｍの個別身体情報を把握するように示したが、個別身体情報の把握は、採寸時に行うことも可能である。
また上述したように個別身体情報を蓄積、分類、解析することで、初期段階の切削加工時に、このデータ（脊柱や脚の曲がり方等）を加味した加工が今後行い得るものであり、これによって仕上加工を極力簡素化することができる。
このように本発明においては、切削加工によって着座者Ｍの身体形状に応じた保持形状２０、３０を実現するものであり、成形型等を一切要せずに加工を行うため、極めて安価に且つ短期間でクッション体１の製造が行える。
【００３７】
（５）椅子本体への取り付け
以上のようにして形成されたクッション体１を、椅子本体Ｓ等に取り付けるにあたっては、例えば背面に面状ファスナーを設けたカバーＣ１、Ｃ２にそれぞれ座面部材２と背もたれ部材３とを入れ込み、別個に椅子本体Ｓに取り付けて、固定するものである。
【００３８】
【他の実施の形態】
本発明は以上述べた実施の形態を一つの基本的な技術思想とするものであるが、更に次のような改変が考えられる。すなわち先に述べた実施の形態では座面部材２と背もたれ部材３とは、主に発泡樹脂充実体の単体で形成されたが、例えば図７に示すように、各部材の背面部分に剛性を有したベニヤ板等の板部材Ｖ１、Ｖ２を貼設することが可能である。これは特に軟らかい素材を適用した場合のクッション体１の剛性を高めたり、座面部材２と背もたれ部材３との固定、あるいはクッション体１と椅子本体Ｓとの固定等に寄与するものと考えられる。
また上述した基本の実施の形態では、クッション体１の主な構成要素は、座面部材２と背もたれ部材３であったが、着座者Ｍの身体からクッション体１が離反したり、ずれたりすること等を防止するために、着座者Ｍの身体（胴部等）とクッション体１とを固定するベルトを設けることが可能である。更にクッション体１の着座機能とは多少異なるが、椅子本体Ｓ等にはテーブル等を取り付けることも可能である。
【００３９】
【発明の効果】
本発明によれば、クッション体１は着座者Ｍ一人ひとりの身体形状に応じて保持形状２０、３０が形成されるため、これを利用した着座者Ｍは正しい座位姿勢で着座できるとともに、この姿勢を長く維持することができる。特に身体各部を自分の思うように動かせない高齢者や障害者等が長時間着座しても、正しい座位姿勢が容易に保持できる。また、クッション体１を製作するにあたっては、予め作成された複数のＣＡＤデータの中から着座者Ｍに適合する保持形状２０、３０をチョイスし、ポリウレタン等の発泡樹脂充実体から削り出して行くため、型部材を要することなく、安価且つ短期間で製作することができる。
【図面の簡単な説明】
【図１】本発明のクッション体を車椅子に取り付けた使用状態を示す斜視図、並びにクッション体を構成する座面部材と背もたれ部材とをカバーから取り出した状態で示す斜視図である。
【図２】座面部材を示す正面図（ａ）、平面図（ｂ）、側面図（ｃ）である。
【図３】背もたれ部材を示す正面図（ａ）、側面図（ｂ）である。
【図４】座面部材における各種寸法の設定状況を示す表である。
【図５】背もたれ部材における各種寸法の設定状況を示す表である。
【図６】本発明のクッション体の製造方法を示す流れ図である。
【図７】座面部材と背もたれ部材との裏面側に剛性を有する板部材を設けた、他の実施の形態を示す斜視図である。
【符号の説明】
１      クッション体
２      座面部材
３      背もたれ部材
２０    保持形状
２１    臀部保持凹部
２２    脚部保持凹部
２３    臀部周囲保持凸部
２４    脚部外側保持凸部
２５    脚部内側保持凸部
３０    保持形状
３１    腰背部保持凹部
３２    側脇部保持凸部
３３    上腕開放部
Ｂ１    胸幅
Ｂ２    クッション全幅
Ｂ３    肩部クッション厚
Ｂ４    腰部クッション厚
Ｂ５    クッション全厚
Ｂ６    クッション全高
Ｂ７    肩部高さ
Ｂ８    ラテラル高さ
Ｃ１    カバー
Ｃ２    カバー
Ｍ      利用者（着座者）
Ｓ      椅子本体
Ｓ１    座面（椅子本体の）
Ｓ２    背もたれ（椅子本体の）
Ｖ１    板部材
Ｖ２    板部材
Ｚ１    臀幅
Ｚ２    クッション全幅
Ｚ３    ポメル幅
Ｚ４    脚幅
Ｚ５    後部厚
Ｚ６    膝部厚
Ｚ７    クッション全厚
Ｚ８    ポメル長
Ｚ９    クッション全長
Ｚ１０  座長
【図１】
2004242839.tif 000003
【図２】
2004242839.tif 000004
【図３】
2004242839.tif 000005
【図４】
2004242839.tif 000006
【図５】
2004242839.tif 000007
【図６】
2004242839.tif 000008
【図７】
2004242839.tif 000009